(57)【要約】  カードコネクタは第１側部（１１）と第２側部（１２）と第３側部（１３）とを含んだシールド（１）と、カードプッシュ機構（２）であって、前記シールド（１）の前記第１側部（１１）に沿って固定された第１端部（３１）と、第２端部と、を備えた第１ばね（３）と、第１端部（４１）と、第２端部（４２）と、第１端部（４３１）および第２端部（４３２）を有する位置決めピンと、を備えたリンク（４）とを備えたカードプッシュ機構と、溝（５１）を備えたハウジング（５）であって、前記溝には前記リンク（４）の前記第１端部（４１）が前記ハウジング（５）を貫通し、かつ前記第１ばね（３）の第２端部（３２）が連結されたハウジング（５）と、前記シールド（１）の前記第２側部（１２）に沿って配置されたイジェクタ（６）であって、第１端部（６１）と、第２端部（６２）と、カードの接触に加わることができる接触面（６３）と、を備えたイジェクタ（６）と、前記シールド（１）の前記第３側部（１３）に沿って固定された第１端部（７１）と、前記イジェクタ（６）の前記第２端部（６２）に連結された第２端部（７２）と、を備えた第２ばね（７）と、を含んでいる。
2008525978.tif 000002
【特許請求の範囲】
【請求項１】
ホストシステムにカードを離脱可能に接続するためのカードコネクタにおいて、該カードコネクタは：
第１側部（１１）と第２側部（１２）と第３側部（１３）とを含んだシールド（１）と；
カードプッシュ機構（２）であって、前記シールド（１）の前記第１側部（１１）に沿って固定された第１端部（３１）と、第２端部と、を備えた第１ばね（３）と；第１端部（４１）と、第２端部（４２）と、第１端部（４３１）および第２端部（４３２）を有する位置決めピンと、を備えたリンク（４）と；を備えたカードプッシュ機構と；
溝（５１）を備えたハウジング（５）であって、前記溝には前記リンク（４）の前記第１端部（４１）が前記ハウジング（５）を貫通し、かつ前記第１ばね（３）の第２端部（３２）が連結されたハウジング（５）と；
前記シールド（１）の前記第２側部（１２）に沿って配置されたイジェクタ（６）であって、前記リンク（４）の第２端部（４２）に連結された第１端部（６１）と、第２端部（６２）と、カードの接触に加わることができる接触面（６３）と、を備えたイジェクタ（６）と；
前記シールド（１）の前記第３側部（１３）に沿って固定された第１端部（７１）と、前記イジェクタ（６）の前記第２端部（６２）に連結された第２端部（７２）と、を備えた第２ばね（７）と；
を含んでいることを特徴とするカードコネクタ。
【請求項２】
前記リンク（４）は、係合穴（４４１）を備えた接続ロッド（４４）と、係合穴（４５１）を備えたスプリングバンド（４５）と、をさらに含んでいることを特徴とする、請求項１に記載のカードコネクタ。
【請求項３】
前記スプリングバンド（４５）の前記係合穴（４５１）を通って伸びている前記位置決めピン（４３）の前記第１端部（４３１）は、前記接続ロッド（４４）の前記係合穴（４４１）に係合され、かつ前記位置決めピン（４３）の前記第２端部（４３２）は、前記ハウジング（５）の前記溝（５１）に引っ掛けられていることを特徴とする、請求項２に記載のカードコネクタ。
【請求項４】
前記スプリングバンド（４５）は、前記ハウジング（５）の前記溝（５１）に沿ってスライドする前記リンク（４）の前記位置決めピン（４３）を保持するために設けられていることを特徴とする、請求項２に記載のカードコネクタ。
【請求項５】
前記ハウジング（５）は開始位置（５２）と停止位置（５３）とをさらに含んでいることを特徴とする、請求項１に記載のカードコネクタ。
【請求項６】
ホストコネクタ（８）をさらに含んでいることを特徴とする、請求項１に記載のカードコネクタ。
【発明の詳細な説明】
【技術分野】
【０００１】
本発明はカードコネクタに関する。より具体的には、ホストシステムにカードを分離可能に接続するカードコネクタに関する。このカードコネクタはシールドとカードプッシュ機構とを含んでいる。カードプッシュ機構を介して、カードはシールドに受けられ（またはシールドから押し出され）、そこでホストシステムと接続（または離脱）される。
【背景技術】
【０００２】
近年、ノートブックパソコンやワードプロセッサといった携帯型電子機器には、マザーボード内に含まれたカードコネクタのような、印刷回路基板に接続するためのカードコネクタが設けられている。そのカードコネクタは、いわゆるＩＣカードまたはＰＣカードを接続または離脱するために使用され、そこでメモリ容量の拡張または特別な機能の提供を行っている。
【特許文献１】米国特許第６３９８５６７号明細書
【特許文献２】米国特許第６０５６５６６号明細書
【発明の開示】
【発明が解決しようとする課題】
【０００３】
特許文献１ではＩＣカードを接続または離脱するための、ＩＣカード接続機構における、係止および離脱機構が開示されている。そのカード接続機構は、カード接続機構内のカードソケットの２つの側部におけるそれぞれのばねに、力をかけることでばね力を引き起こし、それによってカードが排出されて、カード接続機構から離脱される。さらに特許文献２には、排出ストロークが伸びている排出機構のカードコネクタが開示されている。そのカードコネクタはカードを接続または離脱するためのフレームと排出機構とを含み、その排出機構は排出板と、レバーと、連結機器と、回転抑制機構とを含んでいる。しかしながら、そのカードコネクタは２つのフィンガーシート（finger sheets）によってカードを排出しており、このカードの排出は、２つのフィンガーシートに、レバーによって発生されたばね力を通じて行われている。従来技術の機構は複雑であり、その従来技術の製造コストは増加している。そのカード排出機構によって影響される不均一な力の問題は、最も重要な事項である。カードを接続または離脱する場合に、その不均一な力によって、カードコネクタおよびカードは簡単に破壊されまたは損傷されるかも知れず、従って、カードコネクタおよびカードが機能する寿命は減少する。
【０００４】
従って、カードの接続または除去機能が簡素化されて、より効果的に達成可能なカードコネクタが必要とされている。
【課題を解決するための手段】
【０００５】
その欠点を克服するために、本発明の主目的はカードコネクタを提供することにある。カードコネクタは、第１側部と第２側部と第３側部とを含んだシールドと、カードプッシュ機構であって、前記シールドの前記第１側部に沿って固定された第１端部と、第２端部と、を備えた第１ばねと、  第１端部と、第２端部と、第１端部および第２端部を有する位置決めピンと、を備えたリンクと、を備えたカードプッシュ機構と、溝を備えたハウジングであって前記溝には前記リンクの前記第１端部が前記ハウジングを貫通しかつ前記第１ばねの第２端部が連結されたハウジングと、前記シールドの前記第２側部に沿って配置されたイジェクタであって、前記リンクの第２端部に連結された第１端部と、第２端部と、カードの接触に加わることができる接触面と、を備えたイジェクタと、前記シールドの前記第３側部に沿って固定された第１端部と、前記イジェクタの前記第２端部に連結された第２端部と、を備えた第２ばねと、を含んでいることを特徴としている。
【０００６】
そのカードプッシュ機構は、シールドに対する接続位置と離脱位置とが備えられている。カードがシールド上に配置された場合に、カードプッシュ機構は離脱位置に配置され、カードに押し込み力がかけられた場合に、カードプッシュ機構は押し込み力によって離脱位置から接続位置に駆動されて、カードはホストシステムに接続され、同時にカードプッシュ機構内にばね力が発生する。押し込み力が再度カードに欠けられた場合、カードプッシュ機構は接続位置から押され、均等な分布でカードプッシュ機構は離脱位置に押し戻されて、あらかじめイジェクタに発生したばね力を解放し、そこでホストシステムからカードを離脱させる。
【０００７】
本発明の他の特徴および機能は、後述の詳細な記述および概略図を通してさらに理解されるであろう。
【発明を実施するための最良の形態】
【０００８】
図１Ａおよび図１Ｂは、本発明によるカードコネクタの上面図および底面図をそれぞれ示している。図１Ａおよび図１Ｂに見られるように、本発明によるカードコネクタは、シールド（１）とカードプッシュ機構（２）とを含んでいる。
【０００９】
図２は図１のカードコネクタのシールド（１）を示している。このシールド（１）は、第１側部（１１）、第２側部（１２）および第３側部（１３）を含んでいる。
【００１０】
図３は図１のカードコネクタ内のカードプッシュ機構（２）の構造を示している。このカードプッシュ機構（２）は、第１ばね（３）、リンク（４）、ハウジング（５）、イジェクタ（６）および第２ばね（７）を含んでいる。
【００１１】
図４は図３のカードプッシュ機構（２）内のリンク（４）の構造を示している。図４に示されているように、このリンク（４）は、第１端部（４１）、第２端部（４２）、位置決めピン（４３）および接続ロッド（４４）を含んでいる。
【００１２】
図５は図４の接続ロッド（４４）の詳細構造をさらに示している。この接続ロッド（４４）は、係合穴（４４１）をさらに含んでいる。
【００１３】
図６は図４の位置決めピン（４３）の詳細構造をさらに示している。この位置決めピン（４３）は、第１端部（４３１）および第２端部（４３２）を備えている。
【００１４】
図７は図４のリンク（４）のスプリングバンド（４５）の詳細構造をさらに示している。このスプリングバンド（４５）は係合穴（４５１）を備えている。
【００１５】
図８は図３のカードプッシュ機構（２）内のイジェクタ（６）構造を示している。このイジェクタ（６）は、第１端部（６１）、第２端部（６２）およびカードとの接触に加わることができる接触面（６３）を備えている。
【００１６】
図９は図３のカードプッシュ機構（２）内のハウジング（５）の構造を示している。図９に示されているように、このハウジングは、ハート形溝（５１）、開始位置（５２）および停止位置（５３）を備えている。
【００１７】
図１０は図３のカードプッシュ機構（２）内の第１ばね（３）を示している。この第１ばね（３）は、第１端部（３１）および第２端部（３２）を備えている。
【００１８】
図１１は図３のカードプッシュ機構（２）内の第２ばね（７）を示している。この第１ばね（７）は、第１端部（７１）および第２端部（７２）を備えている。
【００１９】
図１２は図１のカードコネクタ内のホストコネクタ（８）を示している。このカードコネクタは、ホストコネクタ（８）をさらに含んでいる。
【００２０】
本発明によれば、第１ばね（３）はシールド（１）の第１側部（１１）に配置され、第１ばね（３）の第１端部（３１）はそこで固定されて、第１ばね（３）の第２端部（３２）はリンク（４）の第１端部（４１）に接続されている。リンク（４）はハウジング（５）を通って伸び、リンク（４）の第２端部はイジェクタ（６）の第１端部（６１）に接続されている。リンク（４）の位置決めピン（４３）の第１端部（４３１）はスプリングバンド（４５）の係合穴（４５１）を通って伸び、接続ロッド（４４）の係合穴（４４１）に接続されている。そして位置決めピン（４３）の第２端部（４３２）はハウジングのハート形溝（５１）に引っ掛けられている。スプリングバンド（４５）はリンク（４）の位置決めピン（４３）を保持するために使用され、位置決めピン（４３）はハウジング（５）のハート形溝（５１）に接触してスライドする。ハウジング（５）の開始位置はカードプッシュ機構（２）の排出位置に相当し、一方でハウジング（５）の停止位置（５３）はカードプッシュ機構（２）の接続位置に相当している。
【００２１】
イジェクタ（６）はシールド（１）の第２側部に沿って配置され、イジェクタ（６）の接触面（６３）はカードの接続または離脱の場合にカードに接触する。イジェクタ（６）の第２端部（６２）は第２ばね（７）の第２端部（７２）に接続されている。第２ばね（７）はシールド（１）の第２側部（１２）に配置されて、第２ばね（７）の第１端部はそこで固定されている。
【００２２】
カードコネクタはホストコネクタ（８）をさらに含んでいる。
【００２３】
カードがシールド（１）上に配置された場合、カードプッシュ機構（２）は排出位置に配置され、すなわち位置決めピン（４３）はハウジング（５）の開始位置（５２）に配置される。押し込み力がカードに加えられた場合、その押し込み力はカードに接触するイジェクタ（６）の接触面（６３）上に均等に分散され、そこで接続ロッド（４４）を押して、位置決めピン（４３）はハウジング（５）
のハート形溝（５１）に沿って開始位置（５２）から停止位置（５３）まで移動する。このとき、カードプッシュ機構（２）は接続位置に配置され、カードはホストシステムのホストコネクタ（８）に接続される。移動した場合に、位置決めピン（４３）は接続ロッド（４４）を駆動させ、イジェクタ（６）を介して第１ばね（３）と第２ばね（７）とを伸ばしてばね力を発生させる。このばね力は、位置決めピン（４３）が停止位置（５３）に配置されているときには機能しない。
【００２４】
押し込み力が再度加えられた場合、接続ロッド（４４）はカードに接触するイジェクタ（６）の接触面（６３）を介して押し込み力によって押され、位置決めピン（４３）はハウジング（５）のハート形溝（５１）に沿って停止位置（５３）から離れる。位置決めピン（４３）がイジェクタ（６）の接触面（６３）上に移動した場合に発生したばね力を均等に分散および開放することで、接続ロッド（４４）は押されて、位置決めピン（４３）はハウジング（５）のハート形溝（５１）に沿って開始位置（５２）まで戻る。同時にイジェクタ（６）の接触面を介してカードは排出され、そこでホストコネクタ（８）から離脱されてホストシステムから取り除かれる。そしてカードプッシュ機構（２）は排出位置に戻る。
【００２５】
本発明によるカードコネクタはカードプッシュ機構上のカード排出の力を均等に分散できるため、カードはホストシステムに接続またはホストシステムから離脱可能である。カードを接続または離脱する場合、カードコネクタまたはカードは不均等な排出力によって壊れたり、または損傷したりしないであろう。さらに、本発明のデザインは簡素であるため、コストを抑える目的も達成可能である。
【００２６】
ここまでの記載は本発明の好適な実施形態を示したに過ぎず、本発明の請求項を限定するものではない。本発明によって開示された思想から逸脱することのない任意の同等の変化または改良は、本発明の請求項に含まれるべきである。
【図面の簡単な説明】
【００２７】
【図１Ａ】本発明によるカードコネクタの上面図を示している。
【図１Ｂ】本発明によるカードコネクタの底面図を示している。
【図２】図１のカードコネクタのシールドを示している。
【図３】図１のカードコネクタ内のカードプッシュ機構の構造を示している。
【図４】図３のカードプッシュ機構内のリンクの構造を示している。
【図５】図４の接続ロッドの詳細構造をさらに示している。
【図６】図４の位置決めピンの詳細構造をさらに示している。
【図７】図４のリンクのスプリングバンドの詳細構造をさらに示している。
【図８】図３のカードプッシュ機構内のイジェクタ構造を示している。
【図９】図３のカードプッシュ機構内のハウジングの構造を示している。
【図１０】図３のカードプッシュ機構内の第１ばねを示している。
【図１１】図３のカードプッシュ機構内の第２ばねを示している。
【図１２】図１のカードコネクタ内のホストコネクタを示している。
【符号の説明】
【００２８】
１      シールド
２      カードプッシュ機構
３      第１ばね
４      リンク
５      ハウジング
６      イジェクタ
７      第２ばね
８      ホストコネクタ
１１    シールドの第１側部
１２    シールドの第２側部
１３    シールドの第３側部
３１    第１ばねの第１端部
３２    第１ばねの第２端部
４１    リンクの第１端部
４２    リンクの第２端部
４３    位置決めピン
４４    接続ロッド
４５    スプリングバンド
５１    溝
５２    開始位置
５３    停止位置
６１    イジェクタの第１端部
６２    イジェクタの第２端部
６３    接触面
７１    第２ばねの第１端部
７２    第２ばねの第２端部
４３１  位置決めピンの第１端部
４３２  位置決めピンの第２端部
４４１  接続ロッドの係合穴
４５１  スプリングバンドの係合穴
【図１Ａ】
2008525978.tif 000003
【図１Ｂ】
2008525978.tif 000004
【図２】
2008525978.tif 000005
【図３】
2008525978.tif 000006
【図４】
2008525978.tif 000007
【図５】
2008525978.tif 000008
【図６】
2008525978.tif 000009
【図７】
2008525978.tif 000010
【図８】
2008525978.tif 000011
【図９】
2008525978.tif 000012
【図１０】
2008525978.tif 000013
【図１１】
2008525978.tif 000014
【図１２】
2008525978.tif 000015
【国際調査報告】
2008525978.tif 000016
2008525978.tif 000017
2008525978.tif 000018
2008525978.tif 000019